(57)【要約】【課題】異なる保存装置内のデジタル音楽データを読み取り再生するデジタル音楽放送音響装置の提供。【解決手段】音響装置の基本構造（少なくとも録音テープ再生装置、ＣＤ再生装置、ブロードキャスト受信装置、前処理装置、音源選択スイッチ、増幅器、及び少なくとも一つのスピーカを含む）のほか、保存装置入力ユニットが増設され、これにより使用者が異なる保存装置のデジタル音楽情報を読み取ることができるようにし、音響装置がブロードキャスティング、ＣＤ或いはテープ再生の機能のほか、デジタル音楽再生の機能を具備するようにした。【選択図】        図３
2004206752.tif 000002
【特許請求の範囲】
【請求項１】
デジタル音楽再生音響装置において、音響装置の基本構造に加え、保存装置入力ユニットが設けられ、該保存装置入力ユニットが、
保存装置に連接されるコネクタである保存装置コネクタと、
該保存装置に記録された情報を読み取る、保存装置インタフェースチップと、
該保存装置より読み取られたデジタル音楽情報を変換して放送できる音楽信号となす、デジタル音楽デコードユニットと、
を具え、使用者が異なる保存装置のデジタル音楽情報を読み取れるようにし、音響装置に周波数調整、周波数幅調整或いはカセットテープ再生機能のほかに、デジタル音楽再生機能を具備させることを特徴とする、デジタル音楽再生音響装置。
【請求項２】
請求項１に記載のデジタル音楽再生音響装置において、音響装置が、少なくとも、録音テープ再生装置、ＣＤ再生装置、ブロードキャスト受信装置、前処理装置、音源選択スイッチ、増幅器、少なくとも一つのスピーカで組成されたことを特徴とする、デジタル音楽再生音響装置。
【請求項３】
請求項１に記載のデジタル音楽再生音響装置において、保存装置コネクタが、メモリカードスロットとされたことを特徴とする、デジタル音楽再生音響装置。
【請求項４】
請求項１に記載のデジタル音楽再生音響装置において、保存装置コネクタが、ＵＳＢコネクタとされたことを特徴とする、デジタル音楽再生音響装置。
【発明の詳細な説明】
【０００１】
【発明の属する技術分野】
本発明は一種のデジタル音楽再生音響装置に係り、特に使用者が異なる保存装置のデジタル音楽情報を読み取れるようにし、音響装置が、ブロードキャスティング、ＣＤ或いはカートリッジテープの再生機能のほかに、デジタル音楽の読み取りと再生の機能を具備するようにした、デジタル音楽再生音響装置に関する。
【０００２】
【従来の技術】
一般の音響装置１は、図１に示されるように、録音テープ再生装置１１、ＣＤ再生装置１２、ブロードキャスト受信装置１３、前処理装置１４、音源選択スイッチ１５、増幅器１６、及び少なくとも一つのスピーカ１７を具え、基本的なＣＤ、録音テープの再生及びブロードキャスティングの放送の機能を有しているが、デジタル音楽の再生機能は有していない。
【０００３】
このほか、図２は現在のＭＰ３プレイヤー２の基本構造であり、それはメモリユニット２１、デジタル音楽再生ユニット２２、イヤホンジャック２３及びイヤホン２４を具えており、メモリユニット２１にデジタル音楽情報が記録され、メモリユニット２１はフラッシュメモリ或いはメモリカードとされるが、このメモリユニット２１の容量は有限であるため、使用者は経常的にメモリユニット２１（メモリカード）更新（或いは交換）しなければならず、使用上、十分に不便である。現在市場にある携帯に便利で且つ大容量のデータ保存装置の主流はＵＳＢインタフェースのＭＰ３プレイヤーであり、その容量は１０億バイト（１ＧＢ）にも達し、且つＵＳＢのインタフェースは各種様式の情報製品に通用し、このため周知のＭＰ３プレイヤー２のメモリユニット２１をＵＳＢインタフェースのＭＰ３ディスクに改めれば、大幅にＭＰ３プレイヤー２の使用効果を高めることができ、且つ使用者が経常的に新データに更新する煩わしさがなくなる。
【０００４】
【発明が解決しようとする課題】
以上の従来の音響装置がデジタル音楽を再生できない欠点、また、ＭＰ３プレイヤーが、メモリ空間上、及び使用上、音響装置のようには多くの人に同時に音楽を聴かせることができないという欠点を鑑み、本発明はそれを改善したデジタル音楽再生音響装置を提供するものである。それは、音響装置の基本構造（少なくとも録音テープ再生装置、ＣＤ再生装置、ブロードキャスト受信装置、前処理装置、音源選択スイッチ、増幅器、及び少なくとも一つのスピーカを含む）のほか、保存装置入力ユニットが増設され、これにより使用者が異なる保存装置のデジタル音楽情報を読み取ることができるようにし、音響装置がブロードキャスティング、ＣＤ或いはテープ再生の機能のほか、デジタル音楽再生の機能を具備するようにしたデジタル音楽再生音響装置である。
【０００５】
すなわち、本発明の主要な目的は、一種のデジタル音楽再生音響装置を提供することにあり、それは、使用者が異なるデジタル保存装置のデジタル音楽情報を読み取ることができるようにし、音響装置にブロードキャスティング、ＣＤ及びカセットテープ再生の機能のほかに、デジタル音楽再生の機能を具備させた、デジタル音楽再生音響装置であるものとする。
【０００６】
【課題を解決するための手段】
請求項１の発明は、デジタル音楽再生音響装置において、音響装置の基本構造に加え、保存装置入力ユニットが設けられ、該保存装置入力ユニットが、
保存装置に連接されるコネクタである保存装置コネクタと、
該保存装置に記録された情報を読み取る、保存装置インタフェースチップと、
該保存装置より読み取られたデジタル音楽情報を変換して放送できる音楽信号となす、デジタル音楽デコードユニットと、
を具え、使用者が異なる保存装置のデジタル音楽情報を読み取れるようにし、音響装置に周波数調整、周波数幅調整或いはカセットテープ再生機能のほかに、デジタル音楽再生機能を具備させることを特徴とする、デジタル音楽再生音響装置としている。
請求項２の発明は、請求項１に記載のデジタル音楽再生音響装置において、音響装置が、少なくとも、録音テープ再生装置、ＣＤ再生装置、ブロードキャスト受信装置、前処理装置、音源選択スイッチ、増幅器、少なくとも一つのスピーカで組成されたことを特徴とする、デジタル音楽再生音響装置としている。
請求項３の発明は、請求項１に記載のデジタル音楽再生音響装置において、保存装置コネクタが、メモリカードスロットとされたことを特徴とする、デジタル音楽再生音響装置としている。
請求項４の発明は、請求項１に記載のデジタル音楽再生音響装置において、保存装置コネクタが、ＵＳＢコネクタとされたことを特徴とする、デジタル音楽再生音響装置としている。
【０００７】
【発明の実施の形態】
図３は本発明の具体的実施例のブロック図であり、それは、デジタル音楽再生音響装置３の基本的構造（少なくとも録音テープ再生装置３１、ＣＤ再生装置３２、ブロードキャスト受信装置３３、前処理装置３４、音源選択スイッチ３５、増幅器３６、及び少なくとも一つのスピーカ３７を含む）のほか、保存装置入力ユニット３８が増設されている。
【０００８】
該録音テープ再生装置３１は、カセットテープを差し込みと再生に供される。
【０００９】
該ＣＤ再生装置３２は、ＣＤの挿入と再生に供される。
【００１０】
該ブロードキャスト受信装置３３は、ブロードキャスティングチャンネルの受信に供される。
【００１１】
該前処理装置３４は、音声信号を処理し、ゲイン増加、雑音除去等の処理を行う。
【００１２】
該増幅器３６は、出力音声のゲインを増加する。
【００１３】
該少なくとも一つのスピーカ３７は、音声を出力する。
【００１４】
以上のユニットは一般の音響装置の通用装置であり、本発明の特徴ではないため、詳しい説明は省略する。
【００１５】
本発明の特徴は保存装置入力ユニット３８にあり（図４参照）、それは、
保存装置コネクタ３８１とされ、保存装置に連接されるコネクタとされ、例えばメモリカードスロット、ＵＳＢコネクタとされ、保存装置はＵＳＢインタフェースのＭＰ３プレイヤー或いはメモリカード（例えば、コンパクトフラッシュ（登録商標）カード、ＭＤカード、ＳＤカード、ＭＭＣカード、スマートメディア（登録商標）カード、ＭＳカード）とされる、上記保存装置コネクタ３８１と、
該保存装置に記録された情報を読み取る、保存装置インタフェースチップ３８２と、
保存装置より読み取られたデジタル音楽情報を変換して放送できる音楽信号となす、デジタル音楽デコードユニット３８３と、
を具えている。
【００１６】
以上の装置で組成され、使用者がデジタル保存装置を本発明のデジタル音楽再生音響装置３の保存装置コネクタ３８１に挿入し、保存装置インタフェースチップ３８２により該デジタル保存装置内のデジタル音楽情報を読み取りデジタル音楽デコードユニット３８３に送り、デジタル音楽デコードユニット３８３がそれをデコード後に信号が前処理装置３４、音源選択スイッチ３５、増幅器３６及びスピーカ３７を順に経由し、デジタル音楽が出力される。
【００１７】
【発明の効果】
総合すると、本発明は異なる保存装置のデジタル音楽情報を読み取ることができるようにし、音響装置にディジタル音楽を再生させることができる。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】周知の音響装置の基本構造図である。
【図２】周知のＭＰ３プレイヤーの基本構造図である。
【図３】本発明のデジタル音楽再生音響装置の実施例のブロック図である。
【図４】本発明の保存装置入力ユニットのブロック図である。
【符号の説明】
１  音響装置
１１  録音テープ再生装置          １２  ＣＤ再生装置
１３  ブロードキャスト受信装置    １４  前処理装置
１５  音源選択スイッチ            １６  増幅器
１７  スピーカ
２  ＭＰ３プレイヤー
２１  メモリユニット              ２２  デジタル音楽再生ユニット
２３  イヤホンジャック            ２４  イヤホン
３  デジタル音楽再生音響装置
３１  録音テープ再生装置          ３２  ＣＤ再生装置
３３  ブロードキャスト受信装置    ３４  前処理装置
３５  音源選択スイッチ            ３６  増幅器
３７  スピーカ                    ３８  保存装置入力ユニット
３８１  保存装置コネクタ        ３８２  保存装置インタフェースチップ
３８３  デジタル音楽デコードユニット
【図１】
2004206752.tif 000003
【図２】
2004206752.tif 000004
【図３】
2004206752.tif 000005
【図４】
2004206752.tif 000006